(57)【要約】      （修正有）【課題】実質的に目地スキが見えない状態で、壁紙を施工する方法を提供する。【解決手段】二枚の壁紙３ａ、３ｂの小口面５ａ、５ｂを合わせて下地１に接着する際に、下地に貼り付けた第一の壁紙の小口面に水性糊剤４を塗布し、第二の壁紙の小口面を第1の壁紙の小口面に合わせ接着させる。この際、第一の壁紙の接合部分裏面に下敷きテープ６を、第二の壁紙の接合部分裏面には養生テープ７を張り付け、下地に第一の壁紙を貼り付け、第二の壁紙を養生テープを下敷きテープに重ねて下地に貼り付け、次に第一の壁紙と第二の壁紙の重なり部分に切り込み８を入れて壁紙の小口面を形成し、第一の壁紙と第二の壁紙の切断片と下敷きテープを取り去り、第一の壁紙全面を下地に貼り付け、第一の壁紙の小口面に前記水性糊剤を塗布し養生テープを取り除き、第二の壁紙の小口面を第一の壁紙の小口面に合わせて下地に貼り付け、小口部分からはみ出した水性糊剤を除去する。【選択図】図２
2006336413.tif 000002
【特許請求の範囲】
【請求項１】
二枚の壁紙の小口面を合わせて下地に接着する際に、下地に貼り付けた第一の壁紙の小口面に、水性糊剤を塗布し、その後、第二の壁紙の小口面を第1の壁紙の小口面に合わせ接着させることを特徴とする壁紙施工法。
【請求項２】
下地に第一の壁紙を貼り付け、接合部分に養生テープを張り付けた第二の壁紙を、その接合部分が前記第一の壁紙に重なり合うように下地に貼り付け、次に第一の壁紙と第二の壁紙の重なり合った部分に切り込みを入れて、前記小口面を形成し、第一の壁紙と第二の壁紙の切断片を取り去り、第一の壁紙の小口面に、水性糊剤を塗布し、前記養生テープを除去した第二の壁紙の小口面を第一の壁紙の小口面に合わせて、第二の壁紙を下地に貼り付け、小口部分からはみ出した前記糊剤を取り除くことを特徴とする請求項１に記載の方法。
【請求項３】
前第一の壁紙の接合部分の裏面に下敷きテープを貼り、第二の壁紙の接合部分の裏面に養生テープを貼り、下地に第一の壁紙を貼り付け、第二の壁紙を、前記養生テープが前記下敷きテープに重なり合うように下地に貼り付け、次に第一の壁紙と第二の壁紙の重なり合った部分に切り込みを入れて、壁紙の小口面を形成し、第一の壁紙と第二の壁紙の切断部分と前記下敷きテープを取り去り、第一の壁紙を下地に貼り付け、第一の壁紙の小口面に、水性糊剤を塗布し、前記養生テープを取り除き、第二の壁紙の小口面を第一の壁紙の小口面に合わせて、下地に貼り付け、小口部分からはみ出した水性糊剤を除去することを特徴とする請求項１に記載のの方法。
【請求項４】
前記水性糊剤が、リオン型粘度計２号ローターによる２０℃の粘度が５，０００〜６０，０００ｍＰａ．ｓであることを特徴とする請求項１〜３のいずれかに記載の方法。
【請求項５】
前記水性糊剤が、固形分１〜２０重量％である請求項４に記載の方法。
【請求項６】
前記水性糊剤が、でんぷん系、メチルセルロース系又はポリビニルアルコール系の糊剤であること特徴とする請求項１〜５のいずれかに記載の方法。
【発明の詳細な説明】
【技術分野】
【０００１】
本発明は目地スキ防止に優れた壁紙施工法に関するものである。
【背景技術】
【０００２】
従来、建築物の内装に用いる壁材としては、紙や織物、編物などを加工原紙で裏打ちした壁紙や加工原紙の表面に塩化ビニル樹脂などのプラスチックの層を塗布し、印刷及び／又は型押しなどの加工を施した壁紙など、裏打ち紙を有する多層構造をなすものが広く使用されている。
【０００３】
このように裏打ち紙が存在する壁紙を施工する際に用いる壁紙施工用接着剤は、比較的放置時間が長くなっても、壁紙の位置を多少ずらすことができるでん粉系接着剤が主流となっている。この壁紙施工用接着剤は、壁紙に塗布後、壁紙の裏面同士が一部くっつくような状態(蛇腹状)に折畳んで置き、壁紙が壁紙施工用接着剤の水分を吸って軟らかくなったところで、再度裏面同士がくっついている壁紙を剥がし伸ばして壁面あるいは天井面の下地に貼るという作業を行っている。
【０００４】
壁紙の接する部分（ジョイント)を仕上げる工法は、代表的なものとして、重ね切り工法及び突き付け工法という2つの工法がある。重ね切り工法は、隣り合う壁紙のジョイント部を数センチ重ね合わせた後にその上に定規を当てて鋭利な刃物（カッターナイフ等)で重ね切断し、両壁紙の不要な部分を取り除いた後、ハケ又はローラー等で撫で付け仕上げる工法であり、突き付け工法は、予め壁面に貼り付けた壁紙に別の壁紙を貼り付ける際に隣接する壁紙同士の小口面を付き合わせて仕上げる工法である。
【０００５】
従来このような工法で仕上げられ、十分な成果が得られていたが、近年、壁紙の裏打ち紙の伸縮幅が異常に大きく、従来の工法では、目地スキを止められないことが多くなってきた。
【０００６】
しかるに、近年でも、従来の工法が施工されているのが現状である。多くの壁紙は、壁紙施工用接着剤の水分を吸うことにより、壁紙が伸びた状態で貼り付け施工を行い、ジョイント部を、重ね切り工法あるいは突き付け工法で仕上げるため、壁紙が乾くと伸びた距離以上に収縮が起こり、目地スキが大きくなるという欠点があった。
【０００７】
尚、ここで云う「目地スキ」とは施工時に壁紙を貼り継いで行く部分において、壁紙の伸縮により出来る「隙間」のことを云う。
【０００８】
以上のような理由から特に壁紙の施工において目地スキが見えない又は確認できないくらい奇麗な継ぎ目の施工法の開発が切望されていた。
【０００９】
そこで、特許文献１では、目地スキをなくした壁紙の施工方法として、通気性壁紙の裏面に水性接着剤（実施例では、でん粉接着剤と水を１０：７で溶いた糊）を塗布してうませた後、壁紙を壁面に貼着して重ね切りにし、壁紙切片を合わせて壁紙継ぎ目に合成樹脂フィルム裏面に再剥離性粘着剤層が形成された壁紙施工用テープを張り付けて一定時間を経過後、該テープを剥がすという方法を開示している。この方法は、目地部分にテープを張って、目地部分の乾燥を遅らせ、施工後全体の接着剤が乾燥して強度が出た時、目地スキが完全に防止した状態でテープを剥がすことにより目地スキをなくそうとするものであるが、テープ剥離時に壁紙を傷つける危険性があった。
【００１０】
また、特許文献２には、壁紙施工時の目地スキを抑え、且つ、耐水接着性、初期接着性に優れた接着剤組成物として、エチレン−酢酸ビニル共重合エマルジョン、アクリル樹脂系エマルジョン及び特定の水溶性アクリル重合体を併含する組成物が開示されており、この組成物使用することにより、紙壁紙は、耐水性に優れ、しかも目地スキにも優れた施工が可能となるとしており、また、特許文献３には、目地スキの発生を抑制する紙壁紙用施工糊組成物として、澱粉糊と特定のシリカを併用することで、従来の澱粉糊と同様に取り扱うことが可能で、施工性、接着性に優れ、しかも紙壁紙の目地スキを大幅に低減するとしている。しかし、いずれの方法でも、目地スキ幅を、安定して目視し難い幅（例えば、２０μｍ未満）とすることはできなかった。
【００１１】
更に、特許文献４には、第一の壁紙の小口と小口部裏面にコーキング剤又は接着剤を入れ込み、第二の壁紙を貼り付ける方法が開示されており、このコーキング剤又は接着剤としてアクリル系合成樹脂等を使用している。この方法では、その実施例に示されるように、目地スキ幅を０．０５ｍｍ（５０μｍ）程度にしかできないので、コーキング剤を壁紙と同系色とすることによって、目地スキを感知されないようにしようとしている。
【特許文献１】特開２００１−５９３２３号公報
【特許文献２】特開２００３−６４３３５号公報
【特許文献３】特開２００２−１９４３０９号公報
【特許文献４】特開２００２−６１３６８号公報
【発明の開示】
【発明が解決しようとする課題】
【００１２】
本発明は、従来の壁紙施工方法を改良し、実質的に目地スキが見えない状態で、壁紙を施工する方法を提供することを課題とする。
【課題を解決するための手段】
【００１３】
本発明者らは、上記課題を解決するために鋭意、検討を重ねた結果、従来の施工法に改良を加え、隣り合う壁紙の小口同士を接着させるための新規な方法及びそれに使用する接着剤の提供を可能とした。
【００１４】
すなわち、本発明では、二枚の壁紙の小口面を合わせて下地に接着する際に、下地に貼り付けた第一の壁紙の小口面に、水性糊剤を塗布し、その後、第二の壁紙の小口面を第1の壁紙の小口面に合わせ接着させることを特徴とする。
【００１５】
例えば、下地に第一の壁紙を貼り付け、接合部分に養生テープを張り付けた第二の壁紙を、その接合部分が前記第一の壁紙に重なり合うように下地に貼り付け、次に第一の壁紙と第二の壁紙の重なり合った部分に切り込みを入れて、前記小口面を形成し、第一の壁紙と第二の壁紙の切断片（重なり合った部分）を取り去り、第一の壁紙の小口面に、前記水性糊剤を塗布し、養生テープを除去した第二の壁紙の小口面を第一の壁紙の小口面に合わせて、第二の壁紙を下地に貼り付け、小口部分からはみ出した糊剤を取り除くことにより、目スキ幅が１０μｍ以下というような、目地の存在が実質的に感知できないような壁紙施工を確実なものとすることができる。
【００１６】
本発明では、更に、作業性よく、品質のよい仕上げをするためには、第一の壁紙の接合部分裏面に、下敷きテープを貼るのが好ましい。この場合、第一の壁紙の接合部分の裏面に下敷きテープを貼り、第二の壁紙の接合部分の裏面に養生テープを貼り、下地に第一の壁紙を貼り付け、第二の壁紙を、前記養生テープが前記下敷きテープに重なり合うように下地に貼り付け、次に第一の壁紙と第二の壁紙の重なり合った部分に切り込みを入れて、壁紙の小口面を形成し、第一の壁紙と第二の壁紙の切断部分と前記下敷きテープを取り去り、第一の壁紙を下地に貼り付け、第一の壁紙の小口面に、前記水性糊剤を塗布し、前記養生テープを取り除き、第二の壁紙の小口面を第一の壁紙の小口面に合わせて、下地に貼り付け、小口部分からはみ出した水性糊剤を除去する。
【００１７】
小口部分からはみ出した水性糊剤の除去は、濡れタオルで拭くなどして実施するのが好ましい。このような水性糊剤の除去及び薄い小口面同士の貼り合わせという作業上から、本発明で使用する水性糊剤は、固形分１〜２０重量％という希薄なものを使用するのがよく、特に固形分１〜１５重量％程度であるのが好ましい。また、水性糊剤の粘度は、通常６０，０００ｍＰａ．ｓ以下、５，０００ｍＰａ．ｓ以上であればよく、５０，０００〜８，０００ｍＰａ．ｓ、特に４５０００〜１００００ｍＰａ．ｓであるのが好ましい。なお、この粘度は、リオン型粘度計（回転粘度系６２．５ｒｐｍ）で２号ローターを用いて２０℃で測定した値である。
【００１８】
また、本発明で使用する糊剤は、壁紙表面に付着しても簡単にふき取れ、壁紙表面が汚れない水性糊剤であればよく、特に種類は限定されないが、でん粉系、セルロース系又はポリビニルアルコール系の糊剤を使用するのが好ましい。これらは単独で使用されても、混合使用されてもよく、また、他の合成樹脂エマルジョンを配合使用してもよい。
【００１９】
なお、本発明における壁紙としては、紙や織物、編物などを加工原紙で裏打ちした壁紙や加工原紙の表面に塩化ビニル樹脂などのプラスチックの層を塗布し、印刷及び／又は型押加工を施した壁紙などがいずれも使用でき、壁紙施工用接着剤としては、通常使用されるものがいずれも使用できる。
【発明の効果】
【００２０】
本発明では、目地スキ幅２０μｍ未満、特に１０μｍ未満という目地を感じさせない壁紙施工の実施を安定して可能とする。
【発明の実施の形態】
【００２１】
本発明では、図１に示すように、二枚の壁紙３ａ、３ｂの小口面５ａ、５ｂを合わせて下地１に接着する際に、下地１に貼り付けた第一の壁紙３ａの小口面５ａに、水性糊剤４を塗布し、その後、第二の壁紙３ｂの小口面５ｂを第1の壁紙の小口面５ａに合わせ接着させるものである。
【００２２】
より確実な実施態様を図２に示す。
まず、第一及び第二の壁紙３ａ、３ｂの裏面に、壁紙施工用接着剤２（この例では矢沢化学工業社製のウォールボンド１００を使用）を塗布しておき、第一の壁紙３ａの接合部分の裏面に下敷きテープ６を貼っておき、第二の壁紙３ｂの接合部分の裏面に養生テープ７を貼っておく。  
【００２３】
６０分間オープンタイムをとった後、図２Ａに示すの如く、下地１に第一の壁紙３ａを貼り付け、第二の壁紙３ｂを下敷きテープ６の上に養生テープ７が重なり合うように貼り付ける。
【００２４】
次に定規を当て、鋭利な刃物(カッターナイフ等)で切り込み８を入れ、第一の壁紙３ａと第二の壁紙３ｂを同じ断面で切断する。その後、切断部分を僅かに開け広げ第１の壁紙３ａと第２の壁紙３ｂの切断片と下敷きテープ６を取り去る。
【００２５】
次に第一の壁紙３ａを下地１に貼り付け、この小口面５ａ全面に目地スキ防止用の水性糊剤４を塗布する（図２Ｂ参照）。
【００２６】
次に、養生テープ７を取り除き、図２Ｃ、Ｄに示す如く、下敷きテープと第一の壁紙の厚みで僅かに延長した第二の壁紙３ｂの小口面５ｂを水性糊剤４の塗布された第一の壁紙３ａの小口面５ａに合わせながら、ゴム又はプラスチックのヘラ等のスキジーで第一、第二の壁紙３ａ、３ｂの接合部分の表面をしごき、中及び表面の余分な水性糊剤４を取り去ると同時に第二の壁紙３ｂの小口面５ｂをピタッと寄せて合わせる事により目地スキが全く無いように仕上げる。
【００２７】
その後、濡れタオル等を絞ったもので、施工した壁紙表面の汚れ(僅か残った水性糊剤等)を拭き取る。
【００２８】
放置後、水性糊剤が完全に乾いたのを確認した後、マイクロスコープを用いて目地スキ幅を測定した。その結果を、小口面に水性糊剤を適用せずに上記方法を実施した場合（Ｎｏ．８）の結果と共に表１に示す。
【００２９】
【表１】
2006336413.tif 000003
【００３０】
［目地スキ幅］の評価は、下記の通りとなる。
目地スキは全く見えない    １０μｍ未満
目地スキは殆ど見えない    １０μｍ〜２０μｍ未満
目地スキが僅かに見える    ２０μｍ〜５０μｍ未満
目地スキが見える          ５０μｍ〜１００μｍ未満
目地スキがはっきり見える  １００μｍ以上
【００３１】
表１に示される通り、本発明に従ったＮｏ．１〜７では、目地スキ幅５０μｍ未満という従来の施工法では容易に達成できなかった、非常にきれいな、継ぎ目を実質的に感知させない壁紙施工を可能とした。特に、小口面に適用した水性糊剤にメチルセルロース系接着剤、でん粉系接着剤、ポリビニルアルコール系接着剤を使用したＮｏ．１〜６では、目地スキ幅１０μｍ未満と目地スキが全く見えない状態での施工ができた。なお、小口面の接着力は数Ｎで十分であり、この点でも全く問題なかった。ただし、でん粉系接着剤（冷工法品）とＥＶＡエマルジョンを併用したＮｏ．５−６では、固形分が３０％以上であるため、小口面からはみ出した水性糊剤（接着剤）の処理などに多少問題があった。
また、水性糊剤としてアクリルアマイドを使用したＮｏ．７では、目地スキ幅を２０μｍ未満とすることができず、また、小口面の接着力に問題があった。
【図面の簡単な説明】
【００３２】
【図１】図１は本発明の施工法の一例を示す説明図である。
【図２】図２は本発明の施工法の一例を示す工程図である。
【符号の説明】
【００３３】
１    下地
２    壁紙加工用接着剤
３ａ  第一の壁紙
３ｂ  第二の壁紙
４    水性糊剤
５ａ  小口面
５ｂ  小口面
６    下敷きテープ
７    養生テープ
８    切り込み
【図１】
2006336413.tif 000004
【図２】
2006336413.tif 000005